(57)【特許請求の範囲】
【請求項１】
前面を開口させた函状の本体ケースと、上下に２分割されて前記本体ケースの開口面を覆うカバーとからなり、前記上カバーを本体ケースに固着し、前記下カバーの両側縁に、本体ケースの左右の側板の外面に重合する側壁を夫々連設して、その側壁における上カバー側を本体ケースへ枢着し前記開口を開閉可能とした筐体であって、
前記下カバーの各側壁内面と本体ケースの側板外面のどちらか一方に前記枢着軸となる第１ピンを、他方にその軸受部を夫々設けると共に、その枢着位置を、前記側壁の上方前側の角から側壁に沿って４５°で引いた線を含む前方側の範囲内の隅角部へ設定し、更に前記各側壁内面と側板外面とのどちらか一方に第２ピンを、他方に、該第２ピンが嵌合し、下カバーの開閉作動に伴う第２ピンの移動軌跡に一致させた案内凹部を設ける一方、該案内凹部内には、下カバーの全開放状態で第２ピンを乗り越えて下カバーをロックするストッパーを突設して、さらに前記下カバーにおける上カバー側の端縁に、下カバーの閉状態で上カバーの裏面に重なる重合部を、前記端縁より一段低くして延設し、その重合部の全長に亘って、前記下カバーの閉状態で上カバーの裏面に密着する突条を、前記端縁と平行に突設したことを特徴とする電子機器収納用筐体。
【発明の詳細な説明】
【０００１】
【産業上の利用分野】
本発明は、屋外の支柱や壁面に取り付けられるブースター等の電子機器収納用の筐体に関するものである。
【０００２】
【従来の技術】
前記従来の電子機器収納用筐体（以下筐体という）は、裏面に支柱或は壁面への取り付け部を設けて前面を開口させた函状の本体ケースと、上下に２分割されて前記本体ケースの開口を覆うカバーとから構成されている。このうち上カバーは本体ケースに固着されるが、下カバーは、取り付け後に内部のユニットを調整する必要があることから、図５（Ａ）のように筐体５０は下カバー５２側方に円弧状の長孔５３を穿設し、その長孔５３を通してネジ部材５４を本体ケース５５の両側板へ螺合させて下カバー５２回動のガイドとし、下カバー５２をその端縁を中心として枢着し開閉させる構造となっている。
【０００３】
【発明が解決しようとする課題】
上記のように蝶着されて開閉する下カバーは、前記調整時には開状態で停止させる必要が生じる。そこで上記従来の筐体では、図５（Ｂ）のように前記ネジ部材５４の締め付けによって、必要時に下カバー５２を本体ケース５５の側板へ固着可能としているが、この時のネジ部材５４の操作が面倒で、又調整終了後に下カバー５２を閉める際にもいちいちネジ部材５４を緩める操作が必要となるから、下カバーの開閉作業が煩わしい。
更に下カバーの回転中心をその端縁としたことで、防水機能の関係上、上カバー５１と下カバー５５間に段差を設けて、下カバー閉状態では上カバーを下カバーに重ならせる必要が生じ、それらの設計上や成形上の手間も軽視できない。特に前記構造では、下カバーに防水片５６が垂直に立設されているから、その分上カバーが高くなってしまう。
【０００４】
【課題を解決するための手段】
そこで本発明は、ネジ部材等を用いることなく、カバーの形状のみで下カバーの開状態でのロックを可能とし、且つ上下カバー間に段差をなくして成形も容易な電子機器収納用筐体を提供するもので、その構成は、下カバーの両側縁に本体ケースの左右の側板の外面に重合する側壁を連設し、その各側壁内面と本体ケースの側板外面のどちらか一方に枢着軸となる第１ピンを、他方にその軸受部を夫々設けると共に、その位置を、前記側壁の上方前側の角から側壁に沿って４５°で引いた線を含む前方側の範囲内の隅角部へ設定し、更に前記各側壁内面と側板外面とのどちらか一方に第２ピンを、他方に、該第２ピンが嵌合し、下カバーの開閉作動に伴う第２ピンの移動軌跡に一致させた案内凹部を設ける一方、該案内凹部内には、下カバーの全開放状態で第２ピンを乗り越えて下カバーをロックするストッパーを突設して、さらに下カバーにおける上カバー側の端縁に、下カバーの閉状態で上カバーの裏面に重なる重合部を、前記端縁より一段低くして延設し、その重合部の全長に亘って、下カバーの閉状態で上カバーの裏面に密着する突条を、前記端縁と平行に突設したことを特徴とするものである。
【０００５】
【作用】
第１ピンと軸受部とにより、下カバーは本体ケースに枢着されて開閉作動可能となる。この時第２ピンと案内凹部の嵌合により下カバーはガイドされて安定した開閉が行え、全開放状態では、案内凹部のストッパーにより第２ピンが当該位置でロックされて、下カバーは開放状態を維持する。又この開放状態から閉じる際には、下カバーを作動させると第２ピンはストッパーを乗り越えて、そのロックを解除できる。
又側壁における第１ピン又は軸受部の位置を、側壁の上方前側の角から側壁に沿って４５°で引いた線を含む前方側の範囲内の隅角部に設定したことにより、下カバーは上カバーの下端に干渉せずに開閉させることが可能となるから、上下のカバーに段差を設ける必要がなくなり、成形も容易となる。
更に下カバーに上カバーの裏面に重なり、当該裏面に密着する突条を備えた重合部を設けたことで、段差のない上下のカバーであっても防水機能を付与できる。
【０００６】
【実施例】
以下本発明の実施例を図面に基いて説明する。
図１は、アルミダイキャスト製で一体の成形品である本体ケース２０と、合成樹脂製の上カバー３０、下カバー４０とからなるブースターの筐体１の説明図で、本体ケース２０には、回路基板２と、その上面にシールド板３を固着し、接栓４，４・・を組み付けた回路ユニット５とが夫々収納されてビス止めされており、支柱や壁面への取り付け部となる裏板には、各上下の側面２１、左右の側面２２より夫々水平に突出した延設部２３を連続に形成している。又上カバー３０は、その裏面に壁面取付用で断面Ｌ字状の引掛片３１を有し、本体ケース２０の上方に被せて装着される箱状に形成されており、左右の側板３２内面の端部下側には、前記本体ケース２０の延設部２３の左右に設けた一対の切欠き２４に対応する抜け止め片３３が突設されている。
一方下カバー４０は、正面板４０ａの左右に連設した側壁４２を有する断面コ字状で、正面板４０ａの下端には、本体ケース２０下端のネジ止め部２５に螺合される止めネジ４３が設けられており、止めネジ４３の左右に突設した係止片４３ａと、本体ケース２０の側面２１に設けた係止凹部２１ａとの係脱作用と共に、下カバー４０を本体ケース２０に固着可能となっている。又両側壁４２内面における正面板４０ａ側の隅角部には、図２の如く第１ピン４４と、第１ピン４４を中心とした円弧を突条で形成した案内レール４５が左右対称に配置されている。第１ピン４４は、下カバー４０を本体ケース２０に装着した状態で本体ケース側面２２端部に設けたピン受部２６に支持されて下カバー４０の回転軸となり、案内レール４５内には、前記本体ケース２０の側面２２におけるピン受部２６近傍に突設された第２ピン２７が夫々嵌合している。この第２ピン２７は図２，３の如く、本体ケース２０に装着した下カバー４０を閉じた状態では案内レール４５の一端部側にあり、下カバー４０の開放作動に連れて案内レール４５をガイドし、全開放時には、第２ピン２７は案内レール４５の他端部側に突設したストッパー４６を乗り越えて案内レール４５の他端部に納まり、そのままストッパー４６に若干乗り上げた状態で下カバー４０をロックするものである。尚第２ピン２７は、前記開放作動時にストッパー４６が乗り越えやすいよう上側を斜めにカットされている。
【０００７】
尚下カバー４０上端には、下カバー４０を閉じた状態で上カバー３０の裏面に重なる重合部４１が延設され、その重合部４１には、正面板４０ａの水平高さより上カバー３０の上板３０ａの厚み分低く設定した２つの突条４７，４８が設けられている。又両側壁４２の端部は、図４のように全長に亘って内面側の肉厚を均一幅で薄くした薄肉部４９を有し、下カバー４０を閉じた状態では薄肉部４９が本体ケースの左右の延設部２３端部に合致して、側壁４２と本体ケース２０の側面２２との間を密閉するものとなっている。
【０００８】
以上の如く構成された筐体は、本体ケース２０の上方（図１の右側）から上カバー３０を被せると、左右の抜け止め片３３が本体ケース２０の延設部２３に設けた左右の切欠き２４内に夫々係止し、上カバー３０の装着と共にその抜け止めがなされる。次に下カバー４０は、その両側壁４２を若干広げるようにして側板内側の左右の第１ピン４４を、本体ケース２０の左右のピン受部２６に合致させ、同時に案内レール４５内に本体ケースの第２ピン２７を夫々嵌合させると、下カバー４０は第１ピン４４を回転軸として開閉可能となり、その作動は案内レール４５内に嵌合する第２ピン２７のガイドと共に行われる。まず開作動は、正面板４０ａ下端を上方へ回転させると、下カバー４０の回転と共に第２ピン２７は案内レール４５内を移動し、ストッパー４６が第２ピンに当接してもそのまま回転方向へ付勢すると、第２ピン２７はストッパー４６を乗り越えて案内レール４５の他端部へ到達しその位置で下カバー４０はロックされ、図３のように開状態で停止する。
次に閉作動の際、正面板４０ａ下端を逆に下方へ押し下げてまず第２ピンのカット部分に乗り上げていたストッパー４６をそのまま乗り越えさせ、下カバー４０の回転と共に案内レール４５を第２ピン２７にガイドさせると、下カバーの側壁４２端部の薄肉部４９が延設部２３に当接すると共に、係止片４３ａが係止凹部２１ａに嵌合して閉作動は終了する。このとき第１ピン４４を中心とする下カバー４０の回転により、重合部４１も回転して本体ケースの側面２２に干渉するが、側面２２にはその回転部分の切除部２８が設けられているから、下カバー４０の回転の妨げにならない。
又閉状態では図２の如く、重合部４１は上カバー３０の裏面に重なると共に、突条４７，４８は上カバーの上板３０ａの裏面に当接して密着するから、段差のないカバーであっても好適な防水効果を付与することができる。この重合部の形状は適宜変更可能で、突条の数や相互間の幅を変更しても良い。
【０００９】
尚ここでの第１ピン４４の位置は、回転する下カバー４０が上カバー３０に干渉しないように設定した回転中心、具体的には図２のように側壁４２において下カバー４０の上端縁４０ｂとの交点（側壁４２の上方前側の角）から側壁４２に沿って４５°で引いた線Ｌを含む正面板４０ａ側の範囲内とした隅角部にあれば、下カバー４０を開放させても上カバー３０に当接せず、上下のカバー間に段差を設ける必要がなくなる。その他下カバー４０の枢着構造は上記実施例に限定するものでなく、例えば第１ピン４４と案内レール４５を下カバー４０に、ピン受部２６と第２ピン２７とを本体ケース２０に設けたが、これらを互いに逆にして設けても良い。
【００１０】
【発明の効果】
以上本発明によれば、簡単な構成で下カバーを蝶着できると共に、開放状態でのロックやその解除も容易に行えるから、下カバー開閉の作業性が良好となる。又下カバーの枢着位置の設定により、上カバーに干渉しない範囲で下カバーの開閉作動ができるから、上下のカバーの段差がなくなり、設計上や成形上好適となる。
更に下カバーに延設した低い重合部により、段差のない上下カバーにあっても防水効果を付与できる。
【図面の簡単な説明】
【図１】筐体の説明図である。
【図２】本体ケースと下カバーとの枢着構造を示す説明図である。
【図３】本体ケースと下カバーとの枢着構造を示す説明図である。
【図４】本体ケースの側面と下カバーの側壁との詳細を示す説明図である。
【図５】（Ａ）従来の下カバーの枢着構造を示す説明図である。
（Ｂ）従来の下カバーの枢着構造を示す説明図である。
【符号の説明】
１・・筐体、２・・回路基板、３・・シールド板、４・・接栓、５・・回路ユニット、２０・・本体ケース、２１，２２・・側面、２３・・延設部、２４・・切欠き、２５・・ネジ止め部、２６・・ピン受部、２７・・第２ピン、２８・・切除部、３０・・上カバー、３１・・引掛片、３２・・側板、３３・・抜け止め片、４０・・下カバー、４１・・重合部、４２・・側壁、４３・・止めネジ、４４・・第１ピン、４５・・案内レール、４６・・ストッパー、４７，４８・・突条、４９・・薄肉部。
【図１】
0003686688.tif 000002
【図２】
0003686688.tif 000003
【図３】
0003686688.tif 000004
【図４】
0003686688.tif 000005
【図５】
0003686688.tif 000006